(57)【要約】【課題】接続端子をケースから引き出す際の作業性を大幅に向上し、そのため製造コストを大幅に低減することが可能なコネクタ一体型コンデンサを提供する。また、数多くの接続端子を引き出すことが可能なコンデンサを安価に提供する。【解決手段】コンデンサ素子２に接続されると共に外部に引き出される端子部材５は、並設された複数の接続端子５ａと、各接続端子５ａを連結する平板状の連結部５ｂとを有する。この連結部５ｂをケース壁面部８に設けた導出開口部１５に圧入する。また、ケース本体１２とは別体に構成した壁面部８の導出開口部１５に端子部材５の連結部５ｂを圧入すると共に、壁面部８をケース本体１２に取着し、コンデンサ素子２と連結部５ｂとを接続して樹脂３を充填する。さらに、折り返された一対の連結部５ｂ、５ｂの先端に連設された複数の接続端子５ａ、５ａを設ける。【選択図】図４
2007207853.tif 000002
【特許請求の範囲】
【請求項１】
コンデンサ素子（２）をケース（１）に収納し、樹脂（３）を充填すると共に、ケース（１）に一体的にコネクタ部（４）を設けたコネクタ一体型コンデンサにおいて、上記コンデンサ素子（２）に接続されると共に外部に引き出される端子部材（５）は、並設された複数の接続端子（５ａ）と、各接続端子（５ａ）を連結する平板状の連結部（５ｂ）とを有し、上記連結部（５ｂ）をコンデンサ素子（２）に連結すると共に、この連結部（５ｂ）をケース壁面部（８）に設けた導出開口部（１５）に圧入し、上記接続端子（５ａ）を外方へと導出したことを特徴とするコネクタ一体型コンデンサ。
【請求項２】
上記ケース（１）を、導出開口部（１５）を含む壁面部（８）と、それ以外のケース本体（１２）とに別体構成し、上記端子部材（５）の連結部（５ｂ）を導出開口部（１５）に圧入すると共に、上記壁面部（８）をケース本体（１２）に取着し、コンデンサ素子（２）と上記連結部（５ｂ）とを接続し、樹脂（３）を充填したことを特徴とする請求項１のコネクタ一体型コンデンサ。
【請求項３】
上記端子部材（５）は折り返し成形され、折り返された一対の連結部（５ｂ）（５ｂ）と、各連結部（５ｂ）（５ｂ）の先端に連設された複数の接続端子（５ａ）（５ａ）を備え、各連結部（５ｂ）（５ｂ）が、それに対応した各導出開口部（１５）（１５）に圧入されていることを特徴とする請求項１又は請求項２のコネクタ一体型コンデンサ。
【発明の詳細な説明】
【技術分野】
【０００１】
この発明は、コンデンサ素子を収納したケースに一体的にコネクタ部を形成したコネクタ一体型コンデンサに関するものである。
【背景技術】
【０００２】
コンデンサ素子を収納したケースに一体的にコネクタ部を形成したコネクタ一体型コンデンサは、公知である（例えば、特許文献１、特許文献２参照）。特許文献１のコネクタ一体型コンデンサは、コンデンサ素子に一対の接続端子を接続し、ケース底部に設けた導出開口部に、接続端子を挿入してケース外部へと導出すると共に、ケース内部に樹脂を充填した構造のものである。また、特許文献２のコネクタ一体型コンデンサは、ケースを、両側の開口したケース本体と、その両側壁とに別体に構成し、両側壁に接続端子を圧入した状態で、両側壁をケース本体に取着し、コンデンサ素子と接続端子とを接続して樹脂を充填した構造のものである。
【特許文献１】特開平２００２−８３７３５号公報
【特許文献２】実公平２−２９７０６号公報
【発明の開示】
【発明が解決しようとする課題】
【０００３】
ところで、上記従来のコネクタ一体型コンデンサは、いずれも接続端子が、ケース底部、あるいはケース側壁に設けた導出開口部から外部へと引き出される。これら従来例において、各導出開口部から引き出されるのは、いずれの場合にも、一本の接続端子であるが、接続端子は、通常は、剛性の低いものである。そのため、導出開口部からの接続端子の引き出し作業に際しては、その折曲、変形を防止するのに細心の注意を必要とし、引き出し作業に多くの手数を要していた。特に、特許文献２の従来例では、接続端子を導出開口部に圧入しているので、圧入作業に細心の注意と多大な手数を要することになる。また、数多くの接続端子を引き出してその利便性を向上しようとしても、それに応じた本数の接続端子を個々に引き出す必要があるので、このような要請に応えようとすると、大幅なコストアップを招くこととなっていた。
【０００４】
この発明は上記従来の欠点を解決するためになされたものであって、その目的は、接続端子をケースから引き出す際の作業性を大幅に向上し、そのため製造コストを大幅に低減することが可能なコネクタ一体型コンデンサを提供することにある。また、従来のようにコストアップを招くことなく、数多くの接続端子を引き出すことが可能なコネクタ一体型コンデンサを提供することもこの発明の目的である。
【課題を解決するための手段】
【０００５】
そこでこの発明のコネクタ一体型コンデンサは、コンデンサ素子２をケース１に収納し、樹脂３を充填すると共に、ケース１に一体的にコネクタ部４を設けたコネクタ一体型コンデンサにおいて、上記コンデンサ素子２に接続されると共に外部に引き出される端子部材５は、並設された複数の接続端子５ａと、各接続端子５ａを連結する平板状の連結部５ｂとを有し、上記連結部５ｂをコンデンサ素子２に連結すると共に、この連結部５ｂをケース壁面部８に設けた導出開口部１５に圧入し、上記接続端子５ａを外方へと導出したことを特徴としている。
【０００６】
また、上記コネクタ一体型コンデンサでは、上記ケース１を、導出開口部１５を含む壁面部８と、それ以外のケース本体１２とに別体構成し、上記端子部材５の連結部５ｂを導出開口部１５に圧入すると共に、上記壁面部８をケース本体１２に取着し、コンデンサ素子２と上記連結部５ｂとを接続し、樹脂３を充填したことも特徴としている。
【０００７】
さらに、上記コネクタ一体型コンデンサでは、上記端子部材５は折り返し成形され、折り返された一対の連結部５ｂ、５ｂと、各連結部５ｂ、５ｂの先端に連設された複数の接続端子５ａ、５ａを備え、各連結部５ｂ、５ｂが、それに対応した各導出開口部１５、１５に圧入されていることも特徴とする。
【発明の効果】
【０００８】
この発明のコネクタ一体型コンデンサによれば、端子部材５において、各接続端子５ａを連結する平板状の連結部５ｂを、ケース壁面部８に設けた導出開口部１５に圧入しているので、圧入される部分の剛性が従来よりも高くなり、そのため、接続端子５ａをケース１から引き出す際の作業性が大幅に向上し、製造コストを大幅に低減することが可能となる。
【０００９】
また、この発明のコネクタ一体型コンデンサによれば、ケース本体１２とは別体に構成した壁面部８の導出開口部１５に端子部材５の連結部５ｂを圧入すると共に、壁面部８をケース本体１２に取着し、コンデンサ素子２と連結部５ｂとを接続して樹脂３を充填するようにしているので、その製造を能率よく行うことができ、製造コストを大幅に低減することが可能となる。
【００１０】
さらに、この発明のコネクタ一体型コンデンサによれば、端子部材５は折り返し成形され、折り返された一対の連結部５ｂ、５ｂの先端に連設された複数の接続端子５ａ、５ａが設けられているので、コストアップを招くことなく、数多くの接続端子５ａ、５ａを引き出すことが可能となる。
【発明を実施するための最良の形態】
【００１１】
次に、この発明のコネクタ一体型コンデンサの具体的な実施の形態について、図面を参照しつつ詳細に説明する。まず、図５に基づいて、概略構成について説明すると、このコネクタ一体型コンデンサは、例えば、ＰＢＴ樹脂製のケース１内にコンデンサ素子２を収納し、エポキシ樹脂３を充填すると共に、ケース１に一体的にコネクタ部４を設けた構造を有している。
【００１２】
上記コネクタ部４は、図１に示すように、コンデンサ素子１に接続されると共に外部に引き出される２個の端子部材５、６と、各端子部材５、６が取着されるコネクタケース７（例えば、ＰＢＴ樹脂製）とから成るものである。上記各端子部材５、６は、並設された複数の接続端子５ａ、６ａと、各接続端子５ａ、６ａを連結する平板状の連結部５ｂ、６ｂとを有し、上記各連結部５ｂ、６ｂがコンデンサ素子２に連結される。上記各端子部材５、６は、図２に示すように、折り返し成形され、折り返された一対の連結部５ｂ、５ｂ（６ｂ、６ｂ）と、各連結部５ｂ、６ｂの先端にそれぞれ複数の接続端子５ａ、６ａが連設されている。一方、上記コネクタケース７は、図１に示すように、上記各端子部材５、６を取着する取付壁面８と、各端子部材５、６を取り囲む筒状ケース部９とを有し、上記取付壁面８には、上記各端子部材５、６の各連結部５ｂ、６ｂが圧入される導出開口部１５、１６が穿設されている。また、上記取付壁面８には、両側方及び下方に向けて、嵌合突縁１１が突設されている。そして、上記各端子部材５、６の各連結部５ｂ、６ｂを、上記コネクタケース７の導出開口部１５、１６に圧入することで、上記接続端子５ａ、６ａを外方へと導出し筒状ケース部９内に位置させた状態で上記コネクタ部４が組み立てられる。この場合、上記導出開口部１５、１６の周囲には、各導出開口部１５、１６を囲むように、シーリング塗布用の溝１０を形成し、シーリングを塗布することで導出開口部１５、１６からの樹脂漏れを防止しておくのが好ましい。なお、５ｃ、６ｃは、各連結部５ｂ、６ｂに連設した接続部である。
【００１３】
図２、及び図３に示すように、ケース１を構成するケース本体１２（例えば、ＰＢＴ樹脂製）は、上記コネクタ部４の取り付けられる一方の側方が開口した概略直方体をした構造のもので、底壁１３と、左右一対の側壁１４、１４と、上記コネクタ部４とは相対抗する側壁１７とを有している。上記左右一対の側壁１４、１４には、コネクタ部４とは相対抗する側壁１７とは僅かに離れた位置において、上下方向に延びる一対の係合突部１８、１８が形成されている。この係合突部１８、１８と、上記側壁１７との間に、後述する、取付片が支持される。また、上記コネクタ部４の取り付けられる開口部周りには、嵌合溝１９が形成されている。そして、上記コネクタ部４の嵌合突縁１１を、ケース本体１２の嵌合溝に嵌入することで、上記コネクタ部４をケース本体１２に取り付ける。この場合、コネクタ部４の取付壁面８が、ケース本体１２の側方開口部を覆い、ケース本体１２と取付壁面（ケース壁面部）８とでケース１を構成する。
【００１４】
そして、図４に示すように、図３の状態から、コンデンサ素子２をケース１内に挿入、配置すると共に、その両端メタリコン部に接続した接続片２１、２２をそれぞれ上記接続端子５、６の接続部５ｃ、６ｃに接続する。また、ケース本体１２の係合突部１８、１８と側壁１７との間に、取付片２３を挿入、配置する。そして、図５に示すように、ケース１内にエポキシ樹脂３を充填し、コネクタ一体型コンデンサを構成する。
【００１５】
上記コネクタ一体型コンデンサによれば、端子部材５、６において、各接続端子５ａ、６ａを連結する平板状の連結部５ｂ、６ｂを、取付壁面８に設けた導出開口部１５、１６に圧入しているので、圧入される部分の剛性が従来よりも高くなり、そのため、接続端子５ａ、６ａをケース１から引き出す際の作業性が大幅に向上し、製造コストを大幅に低減することが可能となる。また、ケース本体１２とは別体に構成した取付壁面８の導出開口部１５、１６に端子部材５、６の連結部５ｂ、６ｂを圧入すると共に、取付壁面８をケース本体１２に取着し、コンデンサ素子２と連結部５ｂ、６ｂとを接続して樹脂３を充填するようにしているので、その製造を能率よく行うことができ、製造コストを大幅に低減することが可能となる。さらに、端子部材５、６は折り返し成形され、折り返された一対の連結部５ｂ、５ｂ、６ｂ、６ｂの先端に連設された複数の接続端子５ａ、５ａ、６ａ、６ａが設けられているので、コストアップを招くことなく、数多くの接続端子を引き出すことが可能となる。
【００１６】
以上にこの発明のコネクタ一体型コンデンサの具体的な実施の形態について説明したが、この発明は上記実施の形態に限定されるものではなく、この発明の範囲内で種々変更して実施することが可能である。例えば、上記実施形態においては、コネクタ部４は、ケース１の一方の側部にだけ設けた例を示しているが、コネクタ部４を、ケース１の両側に設け、取付片２３を残りの側部側に取り付けるようにしてもよい。なお、この取付片２３は、省略して実施することもある。また、上記実施形態においては、ケース本体１２にコネクタ部４を取り付けた状態でコンデンサ素子２を端子部材５、６に接続しているが、コンデンサ素子２を端子部材５、６に接続した状態で、ケース本体１２にコネクタ部４を取り付けてもよい。さらに、上記実施形態におけるコンデンサ素子２としては、巻回形コンデンサ素子であってもよいし、積層形のコンデンサ素子２を用いるようにしてもよい。
【図面の簡単な説明】
【００１７】
【図１】この発明の実施の形態であるコネクタ一体型コンデンサにおけるコネクタ部の組み立て状態を示す図で、（ａ）は組み立て前の平面図、（ｂ）は組み立て後の断面図である。
【図２】上記実施の形態のコネクタ一体型コンデンサにおけるコネクタ部とケース本体との組み立て状態を示す図で、（ａ）は組み立て前の正面断面図、（ｂ）は組み立て後の正面断面図である。
【図３】上記実施の形態のコネクタ一体型コンデンサにおけるコネクタ部とケース本体との組み立て後の平面図である。
【図４】上記実施の形態のコネクタ一体型コンデンサにおける組み立て後（樹脂充填前）の平面図である。
【図５】上記実施の形態のコネクタ一体型コンデンサにおける組み立て後（樹脂充填後）の平面図である。
【符号の説明】
【００１８】
１・・・ケース、２・・・コンデンサ素子、５・・・端子部材、５ａ・・・接続端子、５ｂ・・・連結部、８・・・ケース壁面部、１５・・・導出開口部
【図１】
2007207853.tif 000003
【図２】
2007207853.tif 000004
【図３】
2007207853.tif 000005
【図４】
2007207853.tif 000006
【図５】
2007207853.tif 000007